(57)【要約】【課題】従来のスノーボード用ビンディングにおいて、ブーツの爪先の先端を締付ける部分と、ブーツの爪先の上部分を締付ける部分よりなるパッドを有するトゥーストラップを使用した場合、前記パッドが伸縮性を有さない場合には、前記パッド形状を全てのブーツの先端形状に適合させる事は困難であり、前記パッドが伸縮性を有する場合には、ブーツをトゥーストラップにより固定する際の締め付け力がパッドの伸びにより吸収されてしまいブーツの十分な固定が出来なかった。【解決手段】本発明のスノーボード用ビンディングは、ブーツの爪先の先端を締付ける部分と、ブーツの爪先の上部分を締付ける部分を有するパッドを有するトゥーストラップにおいて、前記パッドが伸縮性を有し、更に前記パッドの伸縮を規制する制限手段を設ける。【選択図】図１
2005318913.tif 000002
【特許請求の範囲】
【請求項１】
ベースプレートと、このベースプレートの一側にその一端を取り付けた一方のバンドと、上記ベースプレートの他側にその一端を取り付けた他方のバンドと、前記両バンドの他端間を連結するバックルとよりなるトゥーストラップにおいて、前記一方及び他方のバンドの何れか一方が、ブーツの爪先の先端を締付ける部分と、ブーツの爪先の上部分を締付ける部分を有するパッドに固定され、前記パッドが伸縮性を有し、更に前記パッドの伸縮を規制する制限手段を有することを特徴とするスノーボード用ビンディング。
【請求項２】
前記制限手段が、前記パッドの上側周囲に固定された上側規制部材と、前記パッドの下側周囲に固定された下側規制部材と、前記パッドの外側面上を左右方向に配置した中央規制部材と、よりなることを特徴とする請求項１記載のスノーボード用ビンディング。
【請求項３】
前記中央規制部材が、前記上側規制部材の両端部及び、前記下側規制部材の両端部に対して、長さ調節自在に固定されることを特徴とする請求項２記載のスノーボード用ビンディング。
【請求項４】
前記中央規制部材が、前記上側規制部材の両端部及び、前記下側規制部材の両端部の少なくとも、いずれか１つの両端部において、上下方向に位置調節自在に固定されることを特徴とする請求項２または３記載のスノーボード用ビンディング。
【請求項５】
ベースプレートと、このベースプレートの一側にその一端を取り付けた一方のバンドと、前記ベースプレートの他側にその一端を取り付けた他方のバンドと、前記両バンドの他端間を連結するバックルとよりなるトゥーストラップにおいて、前記一方及び他方のバンドの何れか一方が、ブーツの爪先の先端及び上部分を締付けるパッドの左右方向の一端に軸支され、前記バックルが、前記パッドの左右方向の他端に軸支されることを特徴とするスノーボード用ビンディング。
【発明の詳細な説明】
【技術分野】
【０００１】
本発明はスノーボード用ビンディングに関するものである。
【背景技術】
【０００２】
図９は、従来のスノーボード用ビンディングの説明図であって、1はスノーボード本体（図示せず）に固定されるベースプレート、２はブーツ、３は上記ブーツ２の後面に対接されるよう前記ベースプレート１の後端に固定されたバックサポ−ト、５は前記ブーツ２の甲部を締め付けるため前記ベースプレート１に設けたアンクルストラップ、６は前記アンクルストラップ５の内側面に取り付けられたアンクルストラップパッド、７はブーツ２の爪先の上部を締め付けるため前記ベースプレート１に設けたトゥーストラップ、８は前記トゥーストラップ７の内側面に取り付けられたトゥーストラップパッドを示す。
【０００３】
図１０は、前記従来のスノーボード用ビンディングの斜視図であって、９ａはその１端を前記ベースプレート１の一側の立ち上がり部に固定した一方のバンド、９ｂは前記ベースプレート１の他側の立ち上がり部にその一端を固定した他方のバンド、１１は前記一方のバンド９ａの遊端に連結したバックル、１２は前記他方のバンドの先端部に設け、前記バックル１１に係合するラチェットベルトを示す。
【０００４】
なお、アンクルストラップ５は、前記トゥーストラップ７と同一の構成を有する。
【０００５】
このような従来のスノーボード用ビンディングにおいては、ベースプレート１にブーツ２を装着するとき、前記アンクルストラップ５及びトゥーストラップ７のラチェットベルト１２とロック部１３の係合を外し、一方及び他方のバンド９ａ、９ｂを両手でお互いに分離した後、ブーツ２を前記ベースプレート１にその上方から乗せ、ラチェットベルト１２を、ラチェット爪を有するロック部１３に挿入し、バックル１１を締めてブーツの甲及び爪先の上部をベースプレート１に固定させている。
【０００６】
又、他の従来のスノーボード用ビンディングとして、図１１に示す通りベースプレート１の一側にその一端を取り付けた、前記一方及び他方のバンド９ａ、９ｂの何れか一方がブーツ２の爪先の先端を締付ける部分と、ブーツ２の爪先の上部分を締付ける部分を有するパッド１７を含むトゥーストラップ７の構造が、本出願人により特許出願されている。
【特許文献１】特開平９−０００６７８号公報（図１）
【特許文献２】特開２００２−３６９９０５号公報（図２３）
【発明の開示】
【発明が解決しようとする課題】
【０００７】
しかしながら、従来のスノーボード用ビンディングにおいては、トゥーストラップ７は爪先の上部から締め付けているだけであるため、前後方向では遊びが出てしまい、十分にブーツを締付けることができない問題があった。
【０００８】
そして、前記従来のスノーボード用ビンディングの欠点を解消するために、ブーツ２の爪先の先端を締付ける部分と、ブーツ２の爪先の上部分を締付ける部分を有するキャップ状のパッド１７を有するトゥーストラップ７を使用した場合、ブーツ２は製造メーカー、機種、サイズ等により先端形状が多様であるため、前記パッドが伸縮性を有さない硬質の素材で構成された場合には、前記パッド形状を全てのブーツの先端形状に適合させる事は困難であり、前記パッド形状がブーツの先端形状が適合しない場合には、使用中に爪先が浮き上下方向に動いたり、締め付けの力が爪先の一部に集中して、足が痛いまたは疲れるといった不具合が発生してしまう問題があった。
【０００９】
又、前記パッド１７が伸縮性を有する軟質の素材で構成された場合には、前記パッド１７形状を全てのブーツ２の先端形状に適合させる事が可能になるが、ブーツ２をトゥーストラップ７によりスノーボード用ビンディングに固定する際の締め付け力がパッドの伸びにより吸収されてしまうためブーツ２の十分な固定が出来ず、使用中の激しい動作によって爪先が浮き上下及び前後方向に動く不具合が発生してしまう問題があった。
【００１０】
本発明は、前記した課題を解決すべくなされたものであり、どの様なブーツ２の先端形状にも適合できる上、確実にブーツ２を固定することのできるスノーボード用ビンディングを提供しようとするものである。
【課題を解決するための手段】
【００１１】
本発明のスノーボード用ビンディングは、ベースプレートと、このベースプレートの一側にその一端を取り付けた一方のバンドと、前記ベースプレートの他側にその一端を取り付けた他方のバンドと、前記両バンドの他端間を連結するバックルとよりなるトゥーストラップにおいて、前記一方及び他方のバンドの何れか一方がブーツの爪先の先端を締付ける部分と、ブーツの爪先の上部分を締付ける部分を有するパッドに固定され、前記パッドが伸縮性を有し、更に前記パッドの伸縮を規制する制限手段を有することを特徴とする。
【００１２】
好ましくは、前記制限手段が、前記パッドの上側周囲に固定された上側規制部材と、前記パッドの下側周囲に固定された下側規制部材と、前記パッドの外側面上を左右方向に配置した中央規制部材と、よりなることを特徴とする。
【００１３】
更に、好ましくは、前記中央規制部材が、前記上側規制部材の両端部及び、前記下側規制部材の両端部に対して、長さ調節自在に固定されることを特徴とする。
【００１４】
また、前記中央規制部材が、前記上側規制部材の両端部及び、前記下側規制部材の両端部の少なくとも、いずれか１つの両端部において、上下方向に位置調節自在に固定されることを特徴とする。
【００１５】
また、本発明のスノーボード用ビンディングは、ベースプレートと、このベースプレートの一側にその一端を取り付けた一方のバンドと、前記ベースプレートの他側にその一端を取り付けた他方のバンドと、前記両バンドの他端間を連結するバックルとよりなるトゥーストラップにおいて、前記一方及び他方のバンドの何れか一方がブーツの爪先の先端及び上部分を締付けるパッドの左右方向の一端に軸支され、前記バックルが、前記パッドの左右方向の他端に軸支されることを特徴とする。
【発明の効果】
【００１６】
上記のように本発明のスノーボード用ビンディングは、爪先の上部と爪先の先端を同時に締め付ける事ができ、更に製造メーカー、機種、サイズ等により先端形状が多様であるブーツの先端形状にも適合でき、確実にブーツをスノーボード用ビンディングに固定できる等大きな利益がある。
【発明を実施するための最良の形態】
【００１７】
以下、図面を参照しつつ、本発明の実施の形態について説明する。
【実施例１】
【００１８】
図１〜図4は、本発明の第１の実施の形態に係わるスノーボード用ビンディングを示し、ベースプレート１と、前記ベースプレート１の後端に固定されたバックサポ−ト３と、ブーツ２の甲部を締め付けるため前記ベースプレート１に取り付けたアンクルストラップ５と、ブーツ２の爪先部を締付けるため前記ベースプレート１に取り付けたトゥーストラップ７より構成される。そしてこの前記トゥーストラップ７はブーツ２の爪先の先端を締付ける部分とブーツ２の爪先の上部分を締付ける部分を有するパッド１４を有し、前記ベースプレート１の一側にその一端を取り付け更に他端を前記パッド１４の一端に連結した一方のバンド９ａと、前記ベースプレート１の他側にその一端を取り付け更に他端にラチェットベルト１２を有する他方のバンド９ｂを有し、更に前記パッド１４が伸縮性を有すると共に前記パッド１４の伸縮を規制する制限手段１５を有し、前記制限手段１５が前記パッド１４の上側周囲に固定された上側ベルト１６と、前記パッド１４の下側周囲に固定された下側ベルト１７と、前記パッド１４の外側を左右方向に配置した中央ベルト１８よりなり、前記中央ベルト１８の一端部には長孔１９が設けられ前記上側ベルト１６と前記下側ベルト１７の夫々一端部を介して前記パッド１４の一端部に固定位置調節自在にネジ２０とナットにより固定される。（尚、中央ベルト１８の一端部に一方のバンド９ａの他端を固定しても良く、又中央ベルト１８と一方のバンド９ａを一体に構成しても良い。）前記中央ベルト１８の他端側には前記他方のバンド９ｂの他端に設けられたラチェットベルト１２を位置調節自在に連結するバックル１５が固定される。（尚、バックル１５はパッド１４の他端に固定しても良い。）前記中央ベルト１８の他端部は前記上側ベルト１６と前記下側ベルト１７の夫々の他端部を介して前記パッド１４の他端部に固定される。（図１〜図３）（勿論、前記中央ベルト１８の一端部に設けられた長孔１９の替わりに、前記中央ベルト１８に複数個の孔を設けても良く、又、前記パッド１４の上側周囲に固定された上側ベルト１６と、前記パッドの下側周囲に固定された下側ベルト１７の夫々一端部を一体に構成せしめ、長孔２２若しくは複数個の孔を設け前記規制部材の固定位置調節自在にネジ止めしても良い。）（図４）
【００１９】
本発明のスノーボード用ビンディングは、上記のような構成であるから、爪先の上部と爪先の先端を同時に締め付ける事ができ、更に前記パッド１４の上側周囲に固定された上側ベルト１６と、前記パッドの下側周囲に固定された下側ベルト１７に対して前記中央ベルト１８の長さが調節可能な構造とする事により、製造メーカー、機種、サイズ等により先端形状が多様であるブーツ２の先端形状にも適合出来る様にパッド４の曲率を調整する事ができ、更に前記中央ベルト１８は、ブーツ２をトゥーストラップ７によりスノーボード用ビンディングに固定する際の締め付け力が掛かった時にパッド１４の伸びを規制する事ができるため、確実にブーツ２をスノーボード用ビンディングに固定する事ができ、使用中の激しい動作によっても爪先が浮き上下及び前後方向に動く事はない。
【実施例２】
【００２０】
本発明の他の実施例においては図５に示すように、前記中央ベルト１８の一端部にはラチェットベルト部２３が設けられ、前記上側ベルト１６と前記下側ベルト１７の夫々一端部を介して前記パッド１４の一端部に、前記ラチェットベルト部２３を位置調節自在に連結するバックル２４が固定される。
【００２１】
この実施例によれば、中央ベルト１８の長さ調整が容易であり、製造メーカー、機種、サイズ等により先端形状が多様であるブーツ２の先端形状にも適合出来る様にパッド１４の曲率の調整を簡単に行う事ができるようになる。
【実施例３】
【００２２】
本発明の他の実施例においては図６に示すように、前記中央ベルト１８の一端部には、前記上側ベルト１６及び前記下側ベルト１７との固定用の孔を設け、前記パッド１４の上側周囲に固定された上側ベルト１６と、前記パッドの下側周囲に固定された下側ベルト１７の夫々の一端部に長孔２５を設け、前記中央ベルト１８の一端部に設けた孔に対して固定位置調節可能にネジ２６とナットにより固定される。
【００２３】
この実施例によれば、中央ベルト１８に対して、上側ベルト１６と、下側ベルト１７の夫々の両端部固定位置間の長さが調節可能となるため上側ベルト１６及び下側ベルト１７の夫々固定された、パット上部と、パット下部の曲率を、個別に調節する事が可能であり、製造メーカー、機種、サイズ等により先端形状が多様であるブーツ２の先端形状に対して、より最適な適合出来る様にパッド１４の上部及び下部の夫々の曲率の調整を行う事ができ、ブーツ２のガタツキや、爪先に局部的に締め付け力が発生し、痛みや疲れが出る事を防止できる。
【実施例４】
【００２４】
本発明の他の実施例においては図７に示すように、前記パット１４と、前記パット１４に固定された上側ベルト１６及び下側ベルト１７の夫々の両端部には、上下方向に複数個の孔２７が設けられ、前記中央ベルト１８の一端及び他端が夫々上下位置調節自在にネジ２８とナット２９により固定される。（尚、本実施例の上下方向に複数個の孔の替わりに、上下方向に長孔を設けても良い。）
【００２５】
この実施例によれば、規制部材の上下方向の位置調整が可能となるため、製造メーカー、機種、サイズ等により先端形状が多様であるブーツの先端形状に対して、より最適な適合出来る様にパッドの上下方向の曲率の調整を行う事ができ、ブーツのガタツキや、爪先に局部的に締め付け力が発生し、痛みや疲れが出る事を防止できる。
【実施例５】
【００２６】
本発明の他の実施例においては図８に示すように、一方のバンド９ａの他端部に対するパッド１４の一端部の固定（一方のバンド９ａの他端部に対する中央ベルト１８の一端部の固定でも良い）及び、中央ベルト１８に対するバックル１１の固定（パッド１４の他端部に対するバックル１１の固定でも良い）が夫々、角度調整可能に、リベット若しくはネジ等のピン部材３０により軸支される。
【００２７】
この実施例によれば、ブーツ固定時に、一方のバンド及び、他方のバンドに対して、パッドの角度が自動的に調整されるため、製造メーカー、機種、サイズ等により先端形状が多様であるブーツの先端形状に対して、より最適な適合ができ、ブーツのガタツキや、爪先に局部的に締め付け力が発生し、痛みや疲れが出る事を防止できる。
【図面の簡単な説明】
【００２８】
【図１】本発明のスノーボード用ビンディングの説明用側面図である。（実施例１）
【図２】図１に示す本発明のスノーボード用ビンディングの要部の斜視図である。（実施例１）
【図３】図２のＡ−Ａ線断面図である。（実施例１）
【図４】図１に示す本発明のスノーボード用ビンディングの変形を示す要部の斜視図である。（実施例１）
【図５】図１に示す本発明のスノーボード用ビンディングの更なる変形を示す要部の斜視図である。（実施例２）
【図６】図１に示す本発明のスノーボード用ビンディングの更なる変形を示す要部の斜視図である。（実施例３）
【図７】図１に示す本発明のスノーボード用ビンディングの更なる変形を示す要部の斜視図である。（実施例４）
【図８】図１に示す本発明のスノーボード用ビンディングの更なる変形を示す要部の斜視図である。（実施例５）
【図９】従来のスノーボード用ビンディングの説明用側面図である。
【図１０】従来のスノーボード用ビンディングの斜視図である。
【図１１】従来の他のスノーボード用ビンディングの説明用側面図である。
【符号の説明】
【００２９】
１    ベースプレート
２    ブーツ
３    バックサポート
５    アンクルストラップ
６    アンクルストラップパッド
７    トゥーストラップ
８    トゥーストラップパッド
９ａ  一方のバンド
９ｂ  他方のバンド
１１  バックル
１２  ラチェットベルト
１４  パッド
１５  制限手段
１６  上側ベルト
１７  下側ベルト
１８  中央ベルト
１９  長孔
２０  ネジ
２１  ナット
２２  長孔
２３  ラチェットベルト部
２４  バックル
２５  長孔
２６  ネジ
２７  孔
２８  ネジ
２９  ナット
３０  ピン部材
【図１】
2005318913.tif 000003
【図２】
2005318913.tif 000004
【図３】
2005318913.tif 000005
【図４】
2005318913.tif 000006
【図５】
2005318913.tif 000007
【図６】
2005318913.tif 000008
【図７】
2005318913.tif 000009
【図８】
2005318913.tif 000010
【図９】
2005318913.tif 000011
【図１０】
2005318913.tif 000012
【図１１】
2005318913.tif 000013